(57)【要約】【課題】画像印刷装置のみによってＲＡＷ形式の画像データの印刷出力を得ること。【解決手段】プリンタ１０１は、装置に対して着脱可能であり特定のフォーマットの画像データが記録されたメモリーカード１２１から、画像データを取得する読出部２１１と、メモリーカード１２１に、特定のフォーマットの画像データを印刷出力するための画像処理プログラムが記録されているかを判断する制御部２０１と、制御部２０１によって、メモリーカード１２１に画像処理プログラムが記録されていると判断された場合に、メモリーカード１２１に記録された画像処理プログラムを用いて画像データを印刷出力する印刷出力部２１５と、を備える。【選択図】        図２
2006272729.tif 000002
【特許請求の範囲】
【請求項１】
装置に対して着脱可能であり特定のフォーマットの画像データが記録された記録媒体から、前記画像データを取得する取得手段と、
前記記録媒体に、前記特定のフォーマットの画像データを印刷出力するための画像処理プログラムが記録されているかを判断する判断手段と、
前記判断手段によって、前記記録媒体に前記画像処理プログラムが記録されていると判断された場合に、前記記録媒体に記録された前記画像処理プログラムを用いて前記画像データを印刷出力する印刷手段と、
を備えることを特徴とする画像印刷装置。
【請求項２】
前記記録媒体が記録する前記画像データは、画像撮影装置によって撮影された前記画像撮影装置固有の出力フォーマットであることを特徴とする請求項１に記載の画像印刷装置。
【請求項３】
前記特定のフォーマットに関する情報を表示する表示手段を備えることを特徴とする請求項１または２に記載の画像印刷装置。
【請求項４】
前記記録媒体には、前記特定のフォーマットの画像データとともに、汎用のフォーマットの画像データが記録されたことを特徴とする請求項１〜３のいずれか一つに記載の画像印刷装置。
【請求項５】
前記取得手段によって取得された前記画像データのデータフォーマットを検出する検出手段を備え、
前記判断手段は、前記検出手段によって検出されたデータフォーマットが前記特定のフォーマットである場合に、前記記録媒体に前記画像処理プログラムが記録されているかを判断することを特徴とする請求項４に記載の画像印刷装置。
【請求項６】
汎用のフォーマットの画像データを印刷出力する画像印刷装置に対して着脱可能であり、特定のフォーマットの画像データと前記特定のフォーマットの画像データを印刷出力するための画像処理プログラムとを記録することを特徴とするメモリーカード。
【請求項７】
特定のフォーマットの画像データが記録された記録媒体から、前記画像データを取得する取得工程と、
前記記録媒体に、前記特定のフォーマットの画像データを印刷出力するための画像処理プログラムが記録されているかを判断する判断工程と、
前記判断工程によって、前記記録媒体に前記画像処理プログラムが記録されていると判断された場合に、前記記録媒体に記録された前記画像処理プログラムを用いて前記画像データを印刷出力する印刷工程と、
を含むことを特徴とする画像印刷方法。
【請求項８】
請求項７に記載の画像印刷方法をコンピュータに実行させることを特徴とする画像印刷プログラム。
【請求項９】
請求項８に記載の画像印刷プログラムを記録したコンピュータに読み取り可能な記録媒体。
【発明の詳細な説明】
【技術分野】
【０００１】
この発明は、画像データを印刷出力する画像印刷装置、メモリーカード、画像印刷方法、画像印刷プログラムおよび記録媒体に関する。
【背景技術】
【０００２】
従来、光学素子などを用いて画像を撮影するデジタルカメラには、光学素子から出力されたままのデータであるＲＡＷ形式によって、撮影した画像データを出力するものがある。ＲＡＷデータは、デジタルカメラ内では画像処理などの加工をされていないため、データの欠損が少なく、ユーザによってホワイトバランスやコントラスト、明るさなどの詳細な画像処理を撮影後におこなうことが可能である。
【０００３】
ＲＡＷ形式は、ＪＰＥＧ形式やＴＩＦＦ形式などの汎用画像フォーマットと異なり、それぞれのデジタルカメラに固有の形式となっている。上記のような画像処理は、それぞれのＲＡＷ形式に対応した画像処理プログラムによっておこなわれる。また、ＲＡＷ形式で出力された画像データを印刷出力するためには、ＰＣ（パーソナルコンピュータ）などにおいて、それぞれのＲＡＷ形式に対応した画像処理プログラムによって処理する必要がある（たとえば、下記特許文献１参照。）。
【０００４】
【特許文献１】特開２００４−０４０５５９号公報
【発明の開示】
【発明が解決しようとする課題】
【０００５】
しかしながら、上述した従来技術によれば、ＲＡＷデータを印刷するためには、画像処理プログラムによって、プリンタが処理可能な形式に変換しなければならない。このため、画像処理プログラムを実行するＰＣを介さず、プリンタ本体のみによってＲＡＷデータを印刷することができないという問題点がある。
【０００６】
この発明は、上述した従来技術による問題点を解消するため、ＲＡＷ形式で保存された画像データをＰＣを介さずに印刷出力できる画像印刷装置、メモリーカード、画像印刷方法、画像印刷プログラムおよび記録媒体を提供することを目的とする。
【課題を解決するための手段】
【０００７】
上述した課題を解決し、目的を達成するため、本発明にかかる画像印刷装置は、装置に対して着脱可能であり特定のフォーマットの画像データが記録された記録媒体から、前記画像データを取得する取得手段と、前記記録媒体に、前記特定のフォーマットの画像データを印刷出力するための画像処理プログラムが記録されているかを判断する判断手段と、前記判断手段によって、前記記録媒体に前記画像処理プログラムが記録されていると判断された場合に、前記記録媒体に記録された前記画像処理プログラムを用いて前記画像データを印刷出力する印刷手段と、を備えることを特徴とする。
【０００８】
この場合、記録媒体に記録された特定のフォーマットの画像データを印刷出力する際に、特定のフォーマットの画像データを印刷出力するための画像処理プログラムを記録媒体から取得して印刷出力をおこなう。このため、装置が特定のフォーマットの印刷出力に対応することができない場合であっても、取得した画像処理プログラムを用いて画像データの印刷出力をおこなうことができる。
【０００９】
また、前記記録媒体が記録する前記画像データは、画像撮影装置によって撮影された前記画像撮影装置固有の出力フォーマットであることとしてもよい。
【００１０】
この場合、画像撮影装置固有の出力フォーマットの画像データを、印刷出力することができる。
【００１１】
また、前記特定のフォーマットに関する情報を表示する表示手段を備えることとしてもよい。
【００１２】
この場合、ユーザは表示されたフォーマットに関する情報を元にして、記録媒体に記録されている画像処理プログラムが、画像データのフォーマットに適合しているか否かを判断することができる。
【００１３】
また、前記記録媒体には、前記特定のフォーマットの画像データとともに、汎用のフォーマットの画像データが記録されたものであってもよい。
【００１４】
この場合、特定のフォーマットの画像データとともに、汎用のフォーマットの画像データも印刷出力することができる。
【００１５】
また、前記取得手段によって取得された前記画像データのデータフォーマットを検出する検出手段を備え、前記判断手段は、前記検出手段によって検出されたデータフォーマットが前記特定のフォーマットである場合に、前記記録媒体に前記画像処理プログラムが記録されているかを判断することとしてもよい。
【００１６】
この場合、取得した画像データが、画像処理プログラムを用いずに印刷出力ができる汎用のフォーマットである場合には、画像処理プログラムを用いずに印刷出力することができる。
【００１７】
また、本発明にかかるメモリーカードは、汎用のフォーマットの画像データを印刷出力する画像印刷装置に対して着脱可能であり、特定のフォーマットの画像データと前記特定のフォーマットの画像データを印刷出力するための画像処理プログラムとを記録することを特徴とする。
【００１８】
この場合、汎用のフォーマットの画像データのみを印刷出力する画像印刷装置であっても、特定のフォーマットの画像データを印刷出力させることができる。
【００１９】
また、本発明にかかる画像印刷方法は、特定のフォーマットの画像データが記録された記録媒体から、前記画像データを取得する取得工程と、前記記録媒体に、前記特定のフォーマットの画像データを印刷出力するための画像処理プログラムが記録されているかを判断する判断工程と、前記判断工程によって、前記記録媒体に前記画像処理プログラムが記録されていると判断された場合に、前記記録媒体に記録された前記画像処理プログラムを用いて前記画像データを印刷出力する印刷工程と、を含むことを特徴とする。
【００２０】
この場合、記録媒体に記録された特定のフォーマットの画像データを印刷出力する際に、特定のフォーマットの画像データを印刷出力するための画像処理プログラムを記録媒体から取得して印刷出力をおこなう。このため、特定のフォーマットの印刷出力に対応することができない場合であっても、取得した画像処理プログラムを用いて画像データの印刷出力をおこなうことができる。
【００２１】
また、本発明にかかる画像印刷プログラムは、上述した画像印刷方法をコンピュータに実行させることを特徴とする。
【００２２】
この場合、記録媒体に記録された特定のフォーマットの画像データを印刷出力する際に、特定のフォーマットの画像データを印刷出力するための画像処理プログラムを記録媒体から取得して印刷出力をおこなう。このため、特定のフォーマットの印刷出力に対応することができない場合であっても、取得した画像処理プログラムを用いて画像データの印刷出力をおこなうことができる。
【００２３】
また、コンピュータに読み取り可能な記録媒体に、上述した画像印刷プログラムを記録することとしてもよい。
【発明を実施するための最良の形態】
【００２４】
以下に添付図面を参照して、この発明にかかる画像印刷装置、メモリーカード、画像印刷方法、画像印刷プログラムおよび記録媒体の好適な実施の形態を詳細に説明する。
【００２５】
（実施の形態）
（印刷処理装置の接続機器構成）
図１は、実施の形態にかかる印刷処理装置の接続機器構成を示す図である。本実施の形態にかかる印刷処理装置は、プリンタ１０１によって実現する。また、装置に対して着脱可能な記録媒体は、メモリーカード１２１などによって実現する。プリンタ１０１は、後述するデジタルカメラ１１１が撮影した画像の画像データを後述するメモリーカード１２１を介して取得し、印刷出力する。プリンタ１０１が通常印刷可能な画像フォーマットは、ＪＰＥＧ形式などの汎用フォーマットであるが、適切なプラグインを用いることによって、ＲＡＷ形式などの固有フォーマットであっても印刷出力することができる。ここで、プラグインとは、モジュールとして提供される画像処理プログラムである。
【００２６】
プリンタ１０１には開口部１０１ａが設けられており、後述するメモリーカード１２１を着脱可能となっている（図中矢印Ａ）。また、プリンタ１０１は、図示しないＰＣなどによって画像処理された画像データを印刷出力することもできる。
【００２７】
デジタルカメラ１１１は、ＣＣＤやＣＭＯＳなどの光に反応する半導体素子を使って画像を電気信号に変換する。デジタルカメラ１１１は撮影した画像の画像データを、後述するメモリーカード１２１に記録する。デジタルカメラ１１１には開口部１１１ａが設けられており、後述するメモリーカード１２１を着脱可能となっている（図中矢印Ｂ）。
【００２８】
また、デジタルカメラ１１１から出力する画像データの形式は、複数の画像フォーマットから選択することが可能である。本実施の形態において、デジタルカメラ１１１から出力する画像データの形式は、ＪＰＥＧ形式、ＴＩＦＦ形式またはＲＡＷ形式を選択することができる。なお、以下、ＪＰＥＧ形式の画像データをＪＰＥＧデータ、ＲＡＷ形式の画像データをＲＡＷデータという。
【００２９】
メモリーカード１２１は、デジタルカメラ１１１によって撮影された画像データを記録する。メモリーカード１２１に記録される画像データは、ＪＰＥＧ形式などの汎用フォーマットであってもＲＡＷ形式であってもよい。また、メモリーカード１２１は、デジタルカメラ１１１が出力するフォーマットのＲＡＷデータを印刷可能とするプラグインを記録する。
【００３０】
ここで、メモリーカード１２１は、デジタルカメラ１１１が外部から情報を得ることが可能となるものであれば、他の形態であってもよい。たとえば、デジタルカメラ１１１から着脱可能な記録媒体であるＣＤやＤＶＤや、無線などによってＰＣなど他の機器に設けられ記録媒体から情報を取得するものであってもよい。
【００３１】
ＲＡＷデータを印刷可能とするプラグインは、たとえば、プリンタ１０１のファームウェアを更新するものや、ＲＡＷデータに画像処理をおこない、プリンタ１０１で印刷可能なデータフォーマットに変換するものである。以下、メモリーカード１２１に記録されるプラグインは、ＲＡＷデータにデータ処理および画像処理をおこない、プリンタ１０１で印刷可能なデータとするものとして説明する。
【００３２】
ＲＡＷデータは、デジタルカメラ１１１独自のフォーマットであるため、そのままの状態ではプリンタ１０１では印刷出力することはできない。通常は、ＰＣ上の画像処理プログラムなどを用いて、画像処理をおこない、プリンタ１０１が対応したフォーマット、たとえば、ＪＰＥＧ形式などの汎用フォーマットに変換した上でプリンタ１０１によって印刷出力する。本実施の形態においては、デジタルカメラ１１１が出力するフォーマットのＲＡＷデータを印刷可能とするプラグインをメモリーカード１２１に記録する。メモリーカード１２１に記録されたプラグインは、プリンタ１０１がデジタルカメラ１１１で撮影した画像データを印刷出力する際に用いられる。
【００３３】
（各機器の機能的構成）
図２は、プリンタの機能的構成を示すブロック図である。プリンタ１０１は、制御部２０１、読出部２１１、表示部２１２、操作部２１３、画像処理部２１４、印刷出力部２１５によって構成される。また、プリンタ１０１の外面には開口部１０１ａが設けられており、メモリーカード１２１を着脱可能となっている。
【００３４】
制御部２０１は、プリンタ１０１全体の制御処理をおこなう。読出部２１１は、開口部１０１ａに装着されたメモリーカード１２１から、デジタルカメラ１１１によって撮影された画像データ、およびデジタルカメラ１１１から出力されるＲＡＷデータを印刷可能とするプラグインを読み出す。より詳細には、開口部１０１ａから挿入されたメモリーカード１２１の画像記録部４１１またはプラグイン記録部４１２（図４参照）にアクセスし、画像記録部４１１から画像データを、プラグイン記録部４１２からプラグインをそれぞれ読み出す。
【００３５】
表示部２１２は、プリンタ１０１の外面に設けられた液晶ディスプレイなどによって構成され、プリンタ１０１によって印刷出力する画像データや、プリンタ１０１の機器設定情報、印刷処理の進行状況などを表示する。表示部２１２に表示される情報は、後述する操作部２１３によって操作することができる。
【００３６】
操作部２１３は、操作ボタンやタッチパネルなどによって構成され、ユーザによるプリンタ１０１の操作に用いられる。操作部２１３によって操作される項目としては、たとえば、印刷出力する画像データの選択や、画像データにおこなう画像補正モードの指定などが挙げられる。
【００３７】
画像処理部２１４は、読出部２１１によって読み出された画像データに画像処理をおこなう。画像処理部２１４がおこなう画像処理は、たとえば、デジタルカメラ１１１で撮影した画像データへのフレームの付加や、スキャンした文字やイラストとの合成、操作部２１３によって指定された画像補正などがある。
【００３８】
また、画像処理部２１４は、読出部２１１によって読み出された画像データがＲＡＷ形式である場合には、読出部２１１によって読み出されたプラグインを用いて、印刷出力部２１５によって印刷出力可能な形式に変換する。
【００３９】
印刷出力部２１５は、印字ヘッドや排紙機構などから構成され、読出部２１１によって読み出された画像データ、または画像処理部２１４によって画像処理された画像データを印刷出力する。印刷出力部２１５によって画像データを印刷出力する媒体は、印刷用紙やはがきなどの紙媒体の他、ＣＤ・ＤＶＤのディスク表面などであってもよい。
【００４０】
図３は、デジタルカメラの機能的構成を示すブロック図である。デジタルカメラ１１１は、制御部３０１、撮影部３１１、操作部３１２、表示部３１３、画像処理部３１４、書込部３１５によって構成される。また、デジタルカメラ１１１の外面には開口部１１１ａが設けられており、メモリーカード１２１を着脱可能となっている。
【００４１】
制御部３０１は、デジタルカメラ１１１全体の制御処理をおこなう。撮影部３１１は、レンズおよび光学素子からなり、レンズから入射する光から画像データを生成し、デジタルデータとして出力する。このとき、撮影部３１１から出力されるデータはＲＡＷデータであり、光学素子から得られた電気信号をそのままデジタル化したものである。
【００４２】
操作部３１２は、操作ボタンやタッチパネルなどによって構成され、ユーザによるデジタルカメラ１１１の操作に用いられる。操作部３１２によって操作される項目としては、たとえば、撮影モードの設定や、撮影した画像の閲覧・消去、撮影タイミング（シャッター）、出力データの形式などである。また、操作部３１２は、デジタルカメラ１１１に対して一体に設けられていてもよいし、リモコンのようにデジタルカメラ１１１から分離して操作可能な形態であってもよい。
【００４３】
表示部３１３は、液晶ディスプレイなどによって構成され、デジタルカメラ１１１で撮影した画像や、デジタルカメラ１１１の機器設定を表示する。また、表示部３１３に表示される情報は、操作部３１２によって操作することができる。
【００４４】
画像処理部３１４は、撮影部３１１から出力された画像データに画像処理をおこなう。画像処理部３１４のおこなう画像処理は、操作部３１２によって設定された撮影モードや出力データの形式に応じたものである。また、画像処理部３１４は、画像データ撮影時の設定情報を画像データのタグに加えることとしてもよい。画像データ撮影時の設定情報とは、たとえば、レンズの絞り値、シャッター速度、露出値などである。
【００４５】
書込部３１５は、撮影部３１１から出力された画像データ、または画像処理部３１４によって画像処理された画像データを、メモリーカード１２１の画像記録部４１１（図４参照）に書き込む。書込部３１５がメモリーカード１２１に書き込む画像データは、操作部３１２を介して設定された出力データ形式となる。
【００４６】
書込部３１５によってメモリーカード１２１に書き込まれる画像データの形式（以下、出力データ形式という）は、たとえば、ＪＰＥＧデータまたはＲＡＷデータを選択することができる。前述のように、撮影部３１１から出力される画像データはＲＡＷデータであるが、出力データ形式としてＪＰＥＧデータが選択された場合には、画像処理部３１４によって画像処理をおこない、ＪＰＥＧデータに変換する。さらに、画像処理部３１４でＪＰＥＧファイルにタグおよびサムネイルを付加して、Ｅｘｉｆファイルとして出力するようにしてもよい。
【００４７】
書込部３１５が出力するＥｘｉｆファイルは、撮影画像のＪＰＥＧデータ（以下、本データという）にタグおよびサムネイルを付加したものであり、複数機器間における画像データの相互利用が考慮されている。タグには、画像の画素数、圧縮モード、カメラの機種名、絞り値、シャッター速度、撮影日時などの画像データの属性情報が記録される。ユーザは、これらの情報を利用して、撮影時の露出条件を撮影にフィードバックしたり、プリント時の画像選択の参考にするなど、画像データの一層の活用を図ることができる。
【００４８】
また、サムネイルは本データを縮小した一覧見出し用の縮小画であり、表示部３１３やＰＣの画像処理プログラム上において、画像ファイルの一覧表示などを高速でおこなわせるために用いられる。
【００４９】
これに加え、書込部３１５は、撮影部３１１から出力されたままのＲＡＷデータによっても画像データを保存・出力することができる。ＲＡＷデータは、ＰＣに出力しても、そのままでは一般の画像処理プログラムで開くことも、プリンタ１０１に出力して印刷することもできない。ＲＡＷデータを扱うには、デジタルカメラ１１１の専用画像処理ソフトなどを使って、ＪＰＥＧデータなどに変換する必要がある。しかし、ＲＡＷデータで画像データを保存しておくと、必要に応じて後から自在に画像データを加工することができる。たとえば、画像データをホームページに載せる場合は容量の少ないＪＰＥＧデータに変換し、印刷する場合は画像が劣化しないＴＩＦＦデータに変換するといった使い分けができる。
【００５０】
ＲＡＷデータは、ＪＰＥＧデータと比較して容量が大きくなるが、画像処理部３１４による画像処理がおこなわれておらず、色情報などのデータ損失もない。このため、ユーザによる画像データの加工が容易であり、主にプロやハイアマチュアなどの高い画質を要求するユーザに用いられている。なお、書込部３１５によって出力されるＲＡＷデータには、Ｅｘｉｆファイル同様のタグを付加することもできる。Ｅｘｉｆファイルの場合と同様に、ユーザは、これらの情報を利用して画像データの一層の活用を図ることができる。
【００５１】
図４は、メモリーカードの機能的構成を示すブロック図である。メモリーカード１２１は、入出力部４０１、画像記録部４１１、プラグイン記録部４１２によって構成される。また、メモリーカード１２１は、プリンタ１０１の開口部１０１ａおよびデジタルカメラ１１１の開口部１１１ａにそれぞれ装着可能である。
【００５２】
入出力部４０１は、プリンタ１０１およびデジタルカメラ１１１との間で、データの入出力をおこなう。画像記録部４１１は、デジタルカメラ１１１の書込部３１５によって書き込まれた画像データを記録する。プラグイン記録部４１２は、デジタルカメラ１１１が出力するフォーマットのＲＡＷデータを印刷可能とするプラグインを記録する。
【００５３】
（写真撮影時のデジタルカメラ１１１の処理）
図５は、写真撮影時のデジタルカメラの処理手順を示すフローチャートである。まず、ユーザの操作によってシャッターが切られ、画像データを取得すると（ステップＳ５０１）、制御部３０１は、画像データの保存形式はＪＰＥＧデータか、ＲＡＷデータかを判断する（ステップＳ５０２）。画像データの保存形式は、操作部３１２を介してユーザによってあらかじめ設定されている。
【００５４】
画像データの保存形式がＪＰＥＧデータの場合は（ステップＳ５０２：ＪＰＥＧ）、画像処理部３１４によって、ユーザによってあらかじめ設定されている撮影モードに合わせてＪＰＥＧ形式に変換し（ステップＳ５０３）、ステップＳ５０５に移行する。一方、画像データの保存形式がＲＡＷデータの場合は（ステップＳ５０２：ＲＡＷ）、撮影モード情報をＲＡＷデータのタグに付加する（ステップＳ５０４）。そして、書込部３１５によって、画像データをメモリーカード１２１に書き込む（ステップＳ５０５）。
【００５５】
ユーザの操作が終了し、撮影が終了すると（ステップＳ５０６：Ｙｅｓ）、本フローチャートによる処理を終了する。一方、撮影が終了しない場合は（ステップＳ５０６：Ｎｏ）、ステップＳ５０１に戻り、以降の処理を繰り返す。
【００５６】
（画像データの印刷出力時のプリンタ１０１の処理）
図６は、画像データの印刷出力時のプリンタの処理手順を示すフローチャートである。まず、制御部２０１は、開口部１０１ａにメモリーカード１２１が挿入されたかを判断する（ステップＳ６０１）。メモリーカード１２１が挿入された場合は（ステップＳ６０１：Ｙｅｓ）、読出部２１１によってメモリーカード１２１から画像データの読み出しをおこなう（ステップＳ６０２）。一方、メモリーカード１２１が挿入されない場合は（ステップＳ６０１：Ｎｏ）、メモリーカード１２１が挿入されるまで待機する（ステップＳ６０１：Ｎｏのループ）。
【００５７】
つぎに、制御部２０１は、読み取った画像データが、プリンタ１０１がサポートしているフォーマットかを判断する（ステップＳ６０３）。プリンタ１０１がサポートしているフォーマットとは、フォーマットの変換をせずに、そのままの状態でも印刷出力部２１５から印刷出力可能なフォーマットであり、たとえば、汎用フォーマットであるＪＰＥＧ形式などである。プリンタ１０１がサポートしているフォーマットである場合は（ステップＳ６０３：Ｙｅｓ）、ステップＳ６０９に移行し、画像データを印刷出力する。
【００５８】
一方、プリンタ１０１がサポートしていないフォーマットである場合は（ステップＳ６０３：Ｎｏ）、制御部２０１は、メモリーカード１２１にプラグインが記録されているかを判断する（ステップＳ６０４）。プリンタ１０１がサポートしていないフォーマットとは、たとえば、デジタルカメラ１１１の固有フォーマットであるＲＡＷ形式などである。プラグインが記録されている場合は（ステップＳ６０４：Ｙｅｓ）、記録されているプラグインを読み出し（ステップＳ６０５）、表示部２１２にプラグインが対応するフォーマットを表示する（ステップＳ６０６）。プラグインが対応するフォーマットとは、プラグインを適用することによって、プリンタ１０１で印刷出力可能となる画像フォーマットである。
【００５９】
ユーザはステップＳ６０６で表示されたフォーマットを参照して、ステップＳ６０５で読み出されたプラグインが、画像データに適合したプラグインかを判断する（ステップＳ６０７）。画像に適合したプラグインである場合は（ステップＳ６０７：Ｙｅｓ）、プラグインを適用して画像処理をおこなう（ステップＳ６０８）。これにより、画像データはプリンタ１０１で印刷出力できるように処理される。
【００６０】
そして、印刷出力部２１５によって、画像データを印刷出力して（ステップＳ６０９）、本フローチャートによる処理を終了する。一方、メモリーカード１２１にプラグインが記録されていない場合（ステップＳ６０４：Ｎｏ）、画像データに適合したプラグインではない場合は（ステップＳ６０７：Ｎｏ）、表示部２１２などによって警告をおこない（ステップＳ６１０）、本フローチャートによる処理を終了する。ここでおこなう警告とは、適切なプラグインを取得することができないため、メモリーカード１２１に記録されている画像データを印刷出力することができない旨をユーザに通知するものである。
【００６１】
以上説明したように、実施の形態にかかる画像印刷装置によれば、記録媒体に記録された特定のフォーマットの画像データ、たとえば、機器固有のＲＡＷデータを印刷出力する際に、特定のフォーマットの画像データを印刷出力するための画像処理プログラムを記録媒体から取得して印刷出力をおこなう。このため、装置が特定のフォーマットの印刷出力に対応することができない場合であっても、取得した画像処理プログラムを用いて画像データの印刷出力をおこなうことができる。
【００６２】
また、記録媒体に記録された画像データのデータフォーマットが印刷可能なものであるかを検出し、画像処理プログラムを用いずに印刷出力ができる汎用のフォーマットである場合には、画像処理プログラムを用いずに印刷出力することができる。
【００６３】
また、表示部を設け、記録媒体に記録された画像処理プログラムが対応するデータフォーマット名を表示する。これにより、ユーザは表示されたデータフォーマット名を元にして、記録媒体に記録されている画像処理プログラムが、画像データのフォーマットに適合しているか否かを判断することができる。
【００６４】
なお、本実施の形態で説明した画像印刷方法は、あらかじめ用意されたプログラムをパーソナルコンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【図面の簡単な説明】
【００６５】
【図１】実施の形態にかかる印刷処理装置の接続機器構成を示す図。
【図２】プリンタの機能的構成を示すブロック図。
【図３】デジタルカメラの機能的構成を示すブロック図。
【図４】メモリーカードの機能的構成を示すブロック図。
【図５】写真撮影時のデジタルカメラの処理手順を示すフローチャート。
【図６】画像データの印刷出力時のプリンタの処理手順を示すフローチャート。
【符号の説明】
【００６６】
１０１  プリンタ、１０１ａ 開口部、１１１  デジタルカメラ、１１１ａ  開口部、１２１  メモリーカード、２０１  制御部、２１１  読出部、２１２  表示部、２１３  操作部、２１４  画像処理部、２１５  印刷出力部、３０１  制御部、３１１  撮影部、３１２  操作部、３１３  表示部、３１４  画像処理部、３１５  書込部、４０１  入出力部、４１１  画像記録部、４１２  プラグイン記録部
【図１】
2006272729.tif 000003
【図２】
2006272729.tif 000004
【図３】
2006272729.tif 000005
【図４】
2006272729.tif 000006
【図５】
2006272729.tif 000007
【図６】
2006272729.tif 000008